(57)【要約】【課題】斜行刃型の爪切りでは巻き爪のように爪長方向の途中の太くて硬い爪を切断するには剪断力が顕在化することに伴って困難である点、及び直進刃型の爪切りでは爪の先端から切断箇所へ送るために、巻き爪の肉に食い込んだ該先端を切断箇所へ送ることができない点を解消する。【解決手段】爪切り１０は、固定刃２１には前後方向の先端部位に形成された切断部２１１ａが、この固定刃２１に対して直進移動する移動刃２２には前後方向の先端部位に形成された切断部２２ａが、各々形成され、さらに、前記固定刃２１における前記切断部２１ａの、前後方向に対して９０°±４５°の範囲の一部に切欠部Ｃ２が形成されている。【選択図】図４
2011183133.tif 000002
【特許請求の範囲】
【請求項１】
本体に固定刃と移動刃とを有し、固定刃に対して移動刃を直進移動させることで被切断物を切断する切断具であって、前記本体には、前記固定刃と前記移動刃を積層状態で保持する保持孔と、この保持孔の前記積層方向の対向部に形成された調整孔と、手で把持して切断操作する把持部と、この把持部の操作動力を移動刃に伝達する作動片とを備え、前記固定刃には、前後方向の先端部位に形成され、被切断物を位置させると共に刃部によって切断する切断部と、前後方向の途中箇所に形成した固定孔と、前記作動片の移動を案内するために、後端から前記固定孔の近傍に至る部位に形成されたレールとを備え、前記移動刃には、前後方向の先端部位に形成され、被切断物を刃部によって切断する切断部と、前後方向の途中箇所に形成され、該移動刃の前後移動をガイドするガイド孔と、後端部に形成され、前記作動片を係止する係止孔とを備え、さらに、前記固定刃の前記切断部の、前後方向に対して９０°±４５°の範囲の一部に切欠部が形成されていることを特徴とする切断具。
【請求項２】
切欠部の切欠き両端部のうちの一方端部が他方端部に対して、前後方向と直交する方向に突出していることを特徴とする請求項１記載の切断具。
【請求項３】
切欠部が、固定刃と移動刃の各々の切断部を前後方向と直交する方向の一方側又は両方側へ突出させ、かつそれぞれの切断部の離間した状態により形成されていることを特徴とする請求項１又は２記載の切断具。
【発明の詳細な説明】
【技術分野】
【０００１】  本発明は、動物の巻き爪を切断するに好適な切断具に係り、特に、使用時に、使用者の指を挟む危険性がなく、また、動物の爪以外を挟むことを防止しつつ巻き爪を切断することが可能で、しかも、移動刃の固定刃に対する密着度を調整することができると共に、移動刃がぶれることなく安定移動させることができ、さらに移動刃と固定刃を容易に交換することが可能な切断具に関するものである。
【背景技術】
【０００２】  従来、動物用の爪切りとしては、例えば本発明者は、過去に以下の特許文献１に開示される爪切り（以下、これを直進刃型という）を考案した。また、特許文献１に開示され直進刃型の他に、例えば特許文献２に示す爪切り（以下、これを斜行刃型という）が知られている。
【先行技術文献】
【特許文献】
【０００３】
【特許文献１】  登録実用新案第３０９６８０９号公報
【特許文献２】  実開平４−６８６６２号公報
【０００４】  図６に示す特許文献１に示される爪切り６０は、操作杆６１の操作と共に作動する作動片６２の先端で係合した下刃６３が、爪を挿入する挿入孔６５ａが形成され、本体６４に固定的に設けられた上刃６５に対して該本体６４の保持孔６４Ａから前後に直進的に摺動移動する。【０００５】  特許文献１のような直進刃型の爪切り６０は、上刃６５の挿入孔６５ａに爪を位置させ、該挿入孔６５ａの内周における最先端部（ここが実質的に刃となっている）と直進する下刃６３との間で挟み込まれて爪が切断される。【０００６】  図７に示す特許文献２に示される爪切り７０は、一方端部に設けた鋏片７１，７２を支軸７３を中心に開閉可能でかつ交差状に支持し、鋏片７１，７２の互いに対向する位置に凹状の刃部７１ａ，７２ａを設けると共に他方端部に該鋏片７１，７２を開閉操作する操作片７４，７５を形成した構成である。【０００７】  特許文献２のような斜行刃型の爪切り７０は、鋏片７１，７２の間に爪を位置させ、操作片７４，７５を接近操作することで、支軸７３を中心に交差状に設けた該鋏片７１，７２（刃部７１ａ，７２ａ）を斜行状に接近させることで爪を切断する。【０００８】  しかしながら、これら特許文献１，２は、爪の先端が巻いて肉に食い込んだ、いわゆる巻き爪を切断することができないという問題があった。ちなみに、爪切りと爪との位置関係は、人間の爪も動物の爪も同様で、巻き爪も、通常の爪も、爪の先端を切断する箇所へ送って、爪の付け根から先端に至る（以下、爪長方向という）途中の先端からの適所を切断する。ただ、巻き爪が切断しにくいのは、爪の先端から切断箇所に送ろうとしても、該先端が肉に食い込んでいるためである。【０００９】  巻き爪の爪長方向の途中箇所を切断箇所に送る点では、特許文献２の斜行刃型の爪切り７０は、鋏片７１，７２の先端が開放されているから容易である。しかし、斜行刃型の特許文献２の爪切り７０は、鋏片７１，７２の先端が例えば肉と接触してしまい、鋏片７１，７２における奥端で刃部７１ａ，７２ａが位置する箇所（支軸７３近傍）に爪の切断箇所を位置させることができない、あるいは、該鋏片７１，７２の先端で肉を挟んでしまうといった問題がある。【００１０】  また、特許文献２の斜行刃型の爪切り７０は、巻き爪の切断に限らず、上記とは別の根本的な問題がある。ここで、文具品など一般的な鋏の切断原理について説明する。鋏は、両方の刃部が斜行状に接近することで被切断物を切断する。【００１１】  切断は、例えば図７を例にすると、一方の刃（以下、刃部７１ａ）と、他方の刃（以下刃部７２ａ）とが擦れるように操作されることで、刃部７１ａ，７２ａが被切断物に対して相対的に移動すること、及び上（右）刃と下（左）刃に位置する刃部７１ａ，７２ａのそれぞれが操作される方向へ移動することに伴って、被切断物を互い違いに押圧する剪断力が働くことによる。【００１２】  よって、薄い被切断物は、上記剪断力が顕在化する前に、刃部７１ａ，７２ａが被切断物に相対移動することで（カッターやナイフによるごとく）切断される。一方、厚みのある及び硬い被切断物を切断する場合は、前記被切断物に相対した刃部７１ａ，７２ａの移動では切断できず、このとき、剪断力が顕在化する。【００１３】  この剪断力の顕在化が、鋏が切れなくなったり、鋏の切れ味が悪くなるといった要因となる。つまり、剪断力は、厚い及び硬い被切断物を切断する際だけでなく、両刃の錆びや刃こぼれ等の刃の損耗、両刃の切断時における両刃の重なり方向の隙間が生じるといった構造上の欠陥、によっても同様に顕在化する。【００１４】  つまり、厚い及び硬い被切断物を切断する際において、刃の相対移動だけでは切断できず、剪断力が顕在化するから、特許文献２の斜行刃型の爪切り７０は、（太い爪、硬い爪を含めた）巻き爪、すなわち先端が肉に食い込んで切断箇所がもはや先端とは言えないほど太くて硬い爪長方向の途中箇所を確実に切断することができないのである。【００１５】  例えば、特許文献２の斜行刃型の爪切り７０において、仮に鋏片７１，７２の先端方向の長さが短く、爪を刃部７１ａ，７２ａの奥部へ送ることができたとしても、巻き爪の長さ方向の途中箇所を挟むから、元々の爪（骨）の硬さと途中箇所による太さ（厚み）が加わり、刃部７１ａ，７２ａの相対移動だけでは容易に切断できない。【００１６】  結果、刃部７１ａ，７２ａの相対移動だけで容易に切断できない時点で、剪断力が顕在化し、刃部７１ａ，７２ａの奥部が先行して間隔が斜行状に狭くなる際に、爪が鋏片７１，７２の先端方向に逃げてしまい（あるいは爪切り７０全体が爪から逃げてしまい）、切断することができない。【００１７】  上記において、仮に爪が先端方向に逃げないとしても、刃部７１ａ，７２ａの相対移動だけでは容易に切断できないのであるから、剪断力の顕在化の別例として、例えば爪が切断できずに刃部７１ａ，７２ａの上下方向（又は左右）に互い違いに歪む及び歪みの程度が大きい場合は爪が割れる又は潰すといった現象が生じる。【００１８】  また、剪断力の顕在化のさらに別例として、上記のように爪が歪まないとしても、爪が刃部７１ａ，７２ａの各々の接近方向と同一水平面に爪が回転してしまうといった現象、この現象と共に刃部７１ａ，７２ａの間隔が開いてしまう現状、あるいは応力により爪切り７０全体が爪の長さ方向と同一水平面へ回転するといった現象、が生じていずれにしても上手く切断できない。【００１９】  この点で、特許文献１のような直進刃型の爪切り６０は、被切断物に対する下刃６３と上刃６５の相対移動の作用を必要とはせず、簡単には、爪のほぼ同一箇所に刃を突き合わせて剪断する（断ち切る）から特許文献２のような不具合はない。【００２０】  つまり、特許文献１のような直進刃型の爪切り６０は、剪断力によって下刃６３と上刃６５とが爪（被切断物）にほぼ同一箇所で食い込み、これにより断ち切っているのである。そして、特許文献１の爪切り６０は、爪に容易に食い込むように下刃６３と上刃６５とを形成している。【００２１】  しかし、特許文献１のような直進刃型の爪切り６０は、内周に切欠きを有しない挿入孔６５ａに爪（の先端）を挿入する必要があるため、巻き爪の、肉に食い込んだ爪の先端を挿入孔６５ａに挿入、つまり巻き爪を切断箇所に位置させることができないので、結果的に巻き爪を切断することができなかった。
【発明の概要】
【発明が解決しようとする課題】
【００２２】  本発明が解決しようとする問題点は、特許文献２の斜行刃型の爪切りでは巻き爪のように爪長方向の途中の太くて硬い爪を切断するには剪断力が顕在化することに伴った様々な問題と共に切断そのものが困難である他、両方の刃が位置する箇所（支点近傍）に爪を位置させることができないといった問題、あるいは、肉を挟んで切断してしまうといった問題がある点、また、特許文献１の直進刃型の爪切りでは爪の先端から切断箇所へ送るために、巻き爪の肉に食い込んだ該先端を切断箇所へ送ることができない点、である。
【課題を解決するための手段】
【００２３】  上記の目的を達成するために、本発明の切断具は、本体には、固定刃と移動刃を積層状態で保持する保持孔と、この保持孔の積層方向の対向部に形成された調整孔と、手で把持して切断操作する把持部と、この把持部の操作動力を移動刃に伝達する作動片とを備え、固定刃には、前後方向の先端部位に形成され、被切断物を位置させると共に刃部によって切断する切断部と、前後方向の途中箇所に形成した固定孔と、作動片の移動を案内するために、後端から固定孔の近傍に至る部位に形成されたレールとを備え、移動刃には、前後方向の先端部位に形成され、被切断物を刃部によって切断する切断部と、前後方向の途中箇所に形成され、該移動刃の前後移動をガイドするガイド孔と、後端部に形成され、作動片を係止する係止孔とを備え、さらに、固定刃の切断部の、前後方向に対して９０°±４５°の範囲の一部に切欠部が形成されていることを最大の特徴とした。
【発明の効果】
【００２４】  上記構成によれば、本発明の切断具は、固定刃の切断部に切欠部が形成されているので、巻き爪のように先端部が肉に食い込んでいて、つまり切断箇所に先端部を送ることが困難な状況であっても、該切欠部から爪長方向の途中部位を切断部に送ることができ、しかも直進刃型であるから、巻き爪を確実に切断することができる。【００２５】  ここで、切欠部の位置を、前後方向に対して９０°±４５°の範囲に形成している理由を説明する。本発明においては、前後方向に対して直交する方向を９０°の位置とし、以下、ここを基準０°位置と定義する。そして、正方向への角度は先端方向へ、負方向への角度は後端方向へ、回転した角度を意味することとする。【００２６】  切欠部が前後方向に対して基準０°位置から＋４５°（先端方向へ回転）より大きい角度の位置に形成されると、もはやほぼ先端であり、この位置に切欠部が形成されても、直進移動する移動刃と固定刃で爪を挟んで切断することができない。一方、基準０°位置から−４５°（後端方向へ回転）より小さい角度の位置に形成されると、肉に押し当てる先端部位が大きくなり、該先端を強く肉に押し当てなければ切欠部まで爪を位置させることができない。【００２７】  さらに、本発明の切断具は、固定孔とガイド孔と、保持孔における調整孔を連通状態とたうえで、該保持孔の移動刃側の調整孔からガイド孔を介して固定孔に達する螺子を螺入したり、該保持孔の対向部の両外側にボルトとナットを配してガイド孔及び固定孔を介してボルトを締めることで、固定刃が移動刃に接近させることができる。よって、固定刃に対して移動刃が密着して互いの刃が確実に噛み合うことになり、確実かつ容易に被切断物を切断することができる。【００２８】  また、上記、螺子やボルト（以下、総称して螺子という）が、移動刃のガイド孔に挿通されているから、移動刃の直進前後方向に対する直交方向への移動を規制することができる。また、把持部の操作に伴う作動片の移動を、固定刃のレールにより規制しているから、操作自体も安定したものとなる。さらには、移動刃と固定刃が保持孔で積層状態で保持されているから、該移動刃と固定刃のぶれ方向への移動を確実に防止できる。【００２９】  また、本発明の切断具は、上記したように螺子で固定刃と移動刃を取り付けているから、螺子を外すのみで固定刃を保持孔から抜き出すことができる。また、移動刃は、螺子がガイド孔に挿入され、作動片が係止孔に係合しているから、該螺子を外し、保持孔内に該下刃を退入させた後に作動片を係止孔から外せば保持孔から抜き出すことができる。【００３０】  すなわち、本発明の切断具は、全体、特に本体における各部を分解しなくても、螺子を外すのみで、容易に移動刃も固定刃を取り出すことが可能である。そして、上記の逆を行えば同じく取り換えた移動刃あるいは固定刃を取り付けることが可能である。なお、交換後の移動刃と固定刃の密着度の調整は上記したように容易に行える。
【図面の簡単な説明】
【００３１】
【図１】図１は、本発明の切断具の全体を示す斜視図である。（実施例１）
【図２】図２は、本発明の切断具の分解斜視図である。（実施例１）
【図３】図３（ａ）〜（ｃ）は、本発明の切断具の使用状況を説明するための図である。（実施例１）
【図４】図４は、本発明の切断具の他の構成を示す分解斜視図である。（実施例２）
【図５】図５は、本発明の切断具のさらに他の構成を示す分解斜視図である。（実施例３）
【図６】図６は、従来の切断具を示す図である。
【図７】図７は、従来の切断具を示す図である。従来の切断具の分解斜視図である。
【発明を実施するための形態】
【００３２】  本発明の切断具は、人間の爪のように薄くかつ比較的柔らかい爪と異なり、断面厚みが大きくかつ硬い動物の爪を切断する点、及び巻き爪のように、先端が肉に食い込んで切断箇所に送り込めない点、を、直進刃型の構成において固定刃の切断部の、前後方向と直交する方向の一部に切欠部を形成することで解消した。この構成により、端部を有しない巻き爪であっても、爪長方向の途中部位を切欠部を介して切断部に送り、直進する移動刃により確実に切断することができる。
【実施例１】
【００３３】  以下に、本発明の実施例について図１〜図５を参照して説明する。図１〜図３に示す実施例１は本願の請求項１，２を採用した請求項３に対応する構成を、図４に示す実施例２は本願の請求項１に対応する構成を、図５に示す実施例３は請求項１を採用した請求項２対応する構成を、各々示す。【００３４】  なお、実施例２，３において、先の実施例と同じ構成については同じ参照符号を付して説明を省略する。また、本実施例１〜３では、本発明の切断具を、動物の爪、特に巻き爪を切断する「爪切り」として説明する。【００３５】  図１〜図３に示す実施例１の爪切り１０は、固定刃１１、移動刃１２、本体１３を主要構成とし、固定刃１１に対して移動刃１２を直進移動させることで（巻き）爪を切断すべく、次のように構成されている。【００３６】  固定刃１１は、移動刃１２の移動方向（以下、前後方向という、また、前後方向のうち前側を先側とする）の先端部が、前後方向の直交する方向に突出している。なお、本実施例１では、一方側への突出方向は右利き用を想定しており、左利き用ならば反対側、両利き用とするならば、両方側へ突出させておけばよい。【００３７】  固定刃１１の先端部における上記突出部位には切断部１１ａが形成されており、この切断部１１ａの後端に刃１１ｂが形成されている。本実施例１では、切断部１１ａの突出量は移動刃１２よりも約０．５〜１．０ｍｍ（図示ではα）だけ大きく設定されている。【００３８】  さらに、この切断部１１ａの突出方向の先端１１ａａは円弧状とし、側部１１ａｂを前後方向と平行する直線状としている。さらに、この側部１１ａｂにおける先端１１ａａと反対の端部（つまり先端）１１ａｃもまた円弧状としている。【００３９】  さらに、固定刃１１は、先端部に至る前後方向の途中部に、該固定刃１１及び移動刃１２を本体１３の保持部１３Ａに取り付けるための螺子Ｂが挿入される固定孔１１ｃが形成されている。さらに、固定刃１１の前後方向の後端部から途中部に向けて後述する作動片１６をガイドするレール１１ｄが形成されている。【００４０】  移動刃１２は、固定刃１１の裏面側に積層され、該固定刃１１と共に本体１３の保持部１３Ａに前後方向に直進摺動自在に保持される。移動刃１２は、先端部が、前後方向と直交する方向で、固定刃１１と同方向の一方側に突出している。すなわち移動刃１２の先端部は、右利き用の一方側、左利き用の他方側、両利き用の両方側、の固定刃１１の突出方向と共に突出した状態とされている。【００４１】  移動刃１２の先端部における上記突出部位には切断部１２ａが形成されており、この切断部１２ａの先端に刃１２ｂが形成されている。さらに、切断部１２ａの突出方向の先端１２ａａは尖塔状とされ、若干だけ該切断部１２ａの内周側へカールしている。【００４２】  また、移動刃１２は、先端部に至る前後方向の途中箇所に、螺子Ｂが挿通されることで該螺子Ｂにより相対的に該移動刃１２の前後移動を案内する前後方向に長尺状とされたガイド孔１２ｃが形成されている。さらに、移動刃１２の前後方向の後端部には、後述する作動片１６の係合部１６ａを係合する係止孔１２ｄが形成されている。【００４３】  そして、本実施例１では、固定刃１１の切断部１１ａと移動刃１２の切断部１２ａとが離間した状態で、爪の切断前において、各々の先端１１ａａ，１２ａａの間に生じる空間に切欠部Ｃを形成している。この切欠部Ｃは、本実施例１では、前後方向に対して直交する方向（＝９０°：基準０°位置）を、切欠き間隔の中心としている。爪は、この切欠部Ｃを介して、切断部１１ａと切断部１２ａの間に送られることになる。【００４４】  本体１３は、前後方向の先端部に固定刃１１と移動刃１２とを保持する保持部１３Ａが、前後方向の途中箇所に後述する操作杆１５を枢止する枢止部１３Ｂが、後端部に全体を使用者が把持するための把持部１３Ｃが、各々形成されている。【００４５】  保持部１３Ａは、前後方向と直交する方向を、固定刃１１と移動刃１２とを積層して挿入できる程度の厚みを形成しつつ中央に折り返すことで保持孔１３Ａａが形成されている。そして、保持孔１３Ａａを形成する折り返し片を付き合わせた中央部及びこの中央部と対向する面に調整孔１３Ａｂが形成されている。この調整孔１３Ａｂは、固定刃１１の固定孔１１ｃ、及び移動刃１２のガイド孔１２ｃに対応して形成されている。【００４６】  螺子Ｂは、例えば、本実施例１では、保持部１３Ａの移動刃１２側の調整孔１３Ａａから、ガイド孔１２ｃ、固定孔１１ｃを介して、保持部１３Ａの固定刃１１側の調整孔１３Ａａから突出し、ここでナットＮに螺入する。よって、螺子Ｂを締め付けることで、保持孔１３Ａａの上下の間隔が狭くなり、固定刃１１と移動刃１２とが密着する。このようにすることで、固定刃１１と移動刃１２との密着度を容易に調整することが可能となる。【００４７】  なお、螺子Ｂは、ナットＮに螺入、すなわち固定刃１１側の調整孔１３Ａｂから突出していなくてもよく、例えば固定刃１１の固定孔１１ｃに直接的に螺入する構成でも構わない、また、移動刃１２を介して固定刃１１に達しているならば、該固定刃１１側の調整孔１３Ａｂを省略しても構わない。【００４８】  枢止部１３Ｂは、本体１３において前後方向と直交する方向を、固定刃１１及び移動刃１２の面と略直交する方向に折り曲げて形成されている。折り曲げた各々の頂上部間には操作杆１５の所要厚みを残した隙間が形成されている。また、頂上部における隙間には、操作杆１５の支点部１５Ａが挿入される。【００４９】  さらに、枢止部１３Ｂの折り曲げた頂上部の各々には、後述する操作杆１５の支点部１５Ａを枢支するためのピンＰ１を挿入する枢支孔１３Ｂａが形成されている。また、把持部１３Ｃは操作杆１５に面した側の前後方向の途中箇所に係合片１３ｃａが形成されており、この係合片１３Ｃａに上記したスプリングＳＰの他端が係合している。【００５０】  操作杆１５は、先端部の前後方向と直交する方向を、固定刃１１及び移動刃１２と略直交するように折り曲げられており、この折り曲げられた部位に、枢支部１３Ｂの枢支孔１３Ｂａ，１３Ｂａに対応する枢止孔１５Ａａ，１５Ａａが形成されていると共に、作動片１６の係止孔１６ｂに対応する係止孔１５Ａｂが形成されている。【００５１】  ピンＰ１は、枢支部１３Ｂの枢支孔１３Ｂａ，１３Ｂａ及び操作杆１５の枢止孔１５Ａａ，１５Ａａに挿入される。よって、操作杆１５は、ピン���１によって本体１３の枢支部１３Ｂに枢支されることとなる。また、操作杆１５は、支点部１５Ａの前後方向の反対側に把持部１５Ｂが形成されている。爪切り１０は、操作杆１５の把持部１５Ｂ及び本体１３の把持部１３Ｃが使用者に把持される。【００５２】  なお、本発明では、操作杆１５の支点部１５Ａが、保持部１３Ａから大きく離れた位置で枢支され、別途のカバーなどを有しない構成であるので、操作杆１５の操作によって該支点部１５Ａと保持部１３Ａとの間に使用者の指を挟むことが防止される。【００５３】  操作杆１５の支点部１５Ａにおける折り曲げられた部位の内側に挿入される作動片１６は、操作杆１５の支点部１５Ａにおける係止孔１５Ａｂの円弧運動を直線運動に変換する。作動片１６はその先端部に係合部１６ａが形成されており、係合部１６ａは上記移動刃１２における係止孔１２ｄと係合する。【００５４】  また、作動部１６は、その前後方向の途中箇所に、操作杆１５の係止孔１５Ａｂ，１５Ａｂと対応する係止孔１６ｂが形成されている。これら係止孔１５Ａｂ、係止孔１６ｂ、係止孔１５Ａｂには、この順に係止ピンＰ２が挿通される。また、作動片１６の係止孔１６ｂの近傍には、短縮状態が自然長とされるスプリングＳＰの一端を係合する係合孔１６ｃが形成されている。【００５５】  上記構成の爪切り１０は、図３に示すようにして使用する。まず、固定刃１１の切断部１１ａに動物の巻き爪の爪長方向の途中部位において、先端１１ａａを爪の径方向から引っ掛ける。このとき、図３（ａ）に示すように、肉と接触させる端部１１ａｃが円弧状とされているので、該端部１１ａｃを肉に強く押し当てても、肉に突き刺さって傷つけることがない。【００５６】  また、切断部１１ａ，１２ａが、前後方向と直交する方向に突出しているから、把持部１３Ｃと把持部１５Ｂを把持した状態で、操作がしやすい。また、切欠部Ｃを形成することで、巻き爪の爪長方向の途中部位を切断部１１ａ，１２ａへ位置させやすくなる。【００５７】  先端１１ａａが爪の断面における下弦部位に位置したとき、図３（ｂ）に示すように、側部１１ａｂが肉と平行になるように爪切り１０全体を回転させて、該先端１１ａａを爪と肉との間に入り込ませる。このとき、側部１１ａｂを肉に押しつけつつ回転させるが、先端１１ａａも端部１１ａｃも円弧状とされているから、これら先端１１ａａ及び端部１１ａｃが肉に突き刺さって傷つけることがない。【００５８】  さらに、側部１１ａｂが前後方向と平行な直線状とされると共に、固定刃１１の先端部の突出方向への突出量が移動刃１２よりもα分だけ大きいことで、側部１１ａｂを肉に押しつけている限りにおいては、後述の切断時に先端１１ａａと先端１２ａａとで肉を挟むことがない。図３（ｂ）の状態で、切欠部Ｃを介して、固定刃１１の切断部１１ａと移動刃１２の切断部１２ａとに、巻き爪を位置させることとなる。【００５９】  その後、把持部１３Ｃに対して把持部１５Ｂを接近させるように操作する。このとき、操作杆１５における支点部１５Ａの係止孔１５Ａｂが、下方及び前方へ円弧状に運動する。操作杆１５における支点部１５Ａの係止孔１５Ａｂの円弧運動に伴って、作動片１６の先端部（係合部１６ａ）は���上方に向いつつ前進する円弧状に運動しようとするが、ピンＰ２及び係合部１６ａと係止孔１２ｄとの係止により前後のみの直線運動に変換される。【００６０】  このときの動作をさらに詳細に説明すると、移動刃１２は保持部１３Ａの保持孔１３Ａａ内に先端部を残したほぼ全体が収納されている。このとき、作動片１６の係合部１６ａは、移動刃１２の係止孔１２ｄに係止された状態で固定刃１１のレール１１ｄにおける後端に位置している。【００６１】  上記したように操作杆１５の把持部１５Ｂを本体１３の把持部１３Ｃに接近させるように操作すると、作動片１６の係合部１６ａは、移動刃１２の係止孔１２ｄに係止された状態で固定刃１１のレール１１ｄにおける前端に移動する。【００６２】  つまり、本実施例の爪切り１０は、固定刃１１のレール１１ｄによって作動片１６の係合部１６ａを前後方向に対する左右移動を規制すると共に、移動刃１２のガイド孔１２ｃに螺子Ｂが挿通されていることによって該移動刃１２の前後移動に際して左右にぶれることを規制しているから、移動刃１２が本体１３の保持部１３Ａ（保持孔１３Ａａ）から直進移動する。【００６３】  移動刃１２が固定刃１１に対して直進移動すると、図３（ｃ）に示すように、移動刃１２の切断部１２ａが固定刃１１の切断部１１ａに接近する。このとき、固定刃１１の先端部の突出方向への突出量が移動刃１２よりもα分だけ大きいこと、側部１１ａｂが前後方向に平行な直線状としていること、から、先端１１ａａと先端１２ａａとで肉を挟むことなく、該移動刃１２の先端１２ａａにより爪が掬われて切断部１２ａへ案内される。【００６４】  そして、図３（ｃ）に示す状態から、刃１２ｂ及び刃１１ｂとが相対的にぶれることなくほぼ同一位置で爪に食い込むことで、このときの剪断力により、図３（ｄ）に示すように、容易にかつ確実に爪が切断される。また、固定刃１１に対して直進する移動刃１２の双方には刃１１ｂ，１２ｂが形成されて、爪のほぼ同一箇所に食い込んで断ち切るから、爪を潰したり、歪めたりなどすることなく、上手く切断が可能である。【００６５】  また、本実施例の爪切り１０は、例えば本実施例１の構成では、螺子Ｂを締めると、保持部１３Ａの保持孔１３Ａａの上下の間隔が狭くなると共に、これによって移動刃１２と固定刃１１とが密着する。従って、本実施例の爪切り１０は、１つの螺子Ｂの締め具合で移動刃１２と固定刃１１との密着度を調整することが可能となる。【００６６】  さらに、本実施例の爪切り１０は、螺子Ｂを外すことで、固定刃１１を本体１３における保持孔１３Ａａから抜き出すことができると共に、移動刃１２を保持孔１３Ａａにおいて把持部１３Ｃ側に退入させた後、作動片１６の係合部１６ａと移動刃１２の係止孔１２ｄとの係止状態を解除すれば保持孔１３Ａａから抜き出すことができる。【００６７】  また、取り換えた固定刃１１を再度本体１３に取り付けるには次のようにすればよい。すなわち、固定孔１１ｃと調整孔１３Ａｂとを連通させ、取り換えた移動刃１２を再度本体１３に取り付け、移動刃１２を保持孔１３Ａａ内に退入させて作動片１６の係合部１６ａと係止孔１２ｄとを係止した後に、該移動刃１２を保持孔１３Ａａ内で前進させて���イド孔１２ｃを調整孔１３Ａｂ及び固定孔１１ｃとを連通させ、螺子Ｂを挿通する。【００６８】  このように、本実施例の爪切り１０は、ピンＰ１及びＰ２を外したり、全体をほとんど分解した状態にすることなく、移動刃１２と固定刃１１とを容易に外すことができると共に、取り換えた移動刃１２と固定刃１１とを容易に取り付けることができると共に、取り換えた後には、上記したように移動刃１２と固定刃１１との密着度の調整を行うことができる。【００６９】  なお、図示しないが、実施例１は本願発明の請求項１，２を採用した請求項３の構成を示しているが、請求項１を採用した請求項３の構成とする場合は、上記の切断部Ｃにおいて、移動刃１２に対する固定刃１１の前後方向と直交する方向への突出量の差αを省略した態様となる。この場合、若干肉を挟む可能性があるものの、固定刃１１の先端１１ａａ、移動刃１２の先端１２ａａの形状により、肉を切ることはなく安全に使用できる。
【実施例２】
【００７０】  図４に示す実施例２は本願の請求項１に対応する構成であり、上記実施例１と比較して、固定刃２１及び移動刃２２が直線状とされている点、及び切欠部Ｃ２が固定刃２１の先端部に形成された切断部２１ａの一部が、前後方向の直交方向において（前後方向に対して９０°＝基準０°位置において）切欠かれて形成されている点、が相違する。【００７１】  すなわち、図４に示す実施例２は、まず、切断部２１ａの内周部に刃１１ｂが形成され、一方、移動刃２２の先端部に凹状の切断部２２ａが形成され、この切断部２２ａの先端に刃１２ｂが形成されている。そして、実施例２では、切欠部Ｃ２において、切欠きを形成する切断部２１ａの切欠き突き合わせ端面の、前後方向と直交する方向への突出量の差（α）を省略している。【００７２】  このように構成した実施例２の爪切り１０は、上記実施例１における、固定刃１１と移動刃１２の先端部を前後方向と直交する方向に突出させ、かつそれぞれの切断部１１ａ，１２ａの離間した状態により切欠部Ｃが形成されることによる作用効果、及び切欠部Ｃ２における切欠き両端面における一方と他方の前後方向と直交する方向への突出量の差αの効果を除いて、同様の作用効果を得ることができる。【００７３】  すなわち、実施例２では、実施例１と同様に、巻き爪を引っ掛けて確実に切断する作用効果や、移動刃２２の固定刃２１との密着度を調整することができると共に、移動刃２２を安定的に移動させることができ、さらに移動刃２２と固定刃２１を容易に交換することが可能な点は同等に得ることができる。
【実施例３】
【００７４】  図５に示す実施例３は本願の請求項１を採用した請求項２に対応する構成であり、上記実施例２において、切欠部Ｃ２を形成する切断部２１ａの突き合わせ端面における一方と他方の、前後方向と直交する方向への突出量の差αが設けられている。【００７５】  このように構成した実施例３の爪切り１０は、上記実施例１における、固定刃１１と移動刃１２の先端部を前後方向と直交する方向に突出させ、かつそれぞれの切断部１１ａ，１２ａの離間した状態により切欠部Ｃが形成されることによる作用効果を除いて、同様の作用効果を得ることができる。【００７６】  すなわち、実施例３では、実施例１と同様に、巻き爪を引っ掛けて確実に切断する作用効果や、移動刃２２の固定刃２１との密着度を調整することができると共に、移動刃２２を安定的に移動させることができ、さらに移動刃２２と固定刃２１を容易に交換することが可能な点は同等に得ることができる。
【産業上の利用可能性】
【００７７】  上記実施例１〜３では、動物の爪、特に巻き爪を切断する爪切りとして説明したが、そのほか、例えば樹脂成型品の（端部を有しない）ゲートを切断する用途に採用しても好適である。
【符号の説明】
【００７８】  １０  爪切り（切断具）
１１  固定刃
１１ａ  切断部
１１ａａ  先端
１１ａｂ  側部
１１ａｃ  端部
１１ｂ  刃
１１ｃ  固定孔
１１ｄ  レール
１２  移動刃
１２ａ  切断部
１２ａａ  先端
１２ｂ  刃
１２ｃ  ガイド孔
１２ｄ  係止孔
１３  本体
１３Ａ  保持部
１３Ａａ  保持孔
１３Ａｂ  調整孔
１６  作動片
１６ａ  係合部
２１  固定刃
２１ａ  切断部
２２  移動刃
２２ａ  切断部
Ｃ  切欠部
Ｃ２  切欠部
α  前後方向と直交する方向への突出量の差
【図１】
2011183133.tif 000003
【図２】
2011183133.tif 000004
【図３】
2011183133.tif 000005
【図４】
2011183133.tif 000006
【図５】
2011183133.tif 000007
【図６】
2011183133.tif 000008
【図７】
2011183133.tif 000009